(57)【要約】【課題】ＡＭラジオ放送などの公共放送への妨害の低減を図った画像表示装置を提供する。【解決手段】表示電極４の放電周波数を、２２９〜２６５ｋＨｚの範囲で、９×ｍ＋１［ｋＨｚ］または９×ｍ−１［ｋＨｚ］（ｍは整数）に該当する値、具体的には、２３３，２３５，２４２，２４４，２５１，２５３，２６０，２６２［ｋＨｚ］の８つの周波数のいずれかに、表示電極４の放電周波数を合わせ込む。このようにすることで、放電周波数それ自体を、またはその整数次高調波周波数をＡＭラジオ放送周波数に対して充分に離間させることが可能となる。従ってＡＭラジオ放送に受信妨害が生じる虞を無くすることが可能になる。【選択図】      図５
2005031368.tif 000002
【特許請求の範囲】
【請求項１】
放電デバイスを放電させてそのエネルギーにより蛍光体を発光させて画像を表示する画像表示装置において、
設置される地域における公共放送周波数に前記放電デバイスの放電周波数およびその整数次高調波周波数が一致することを避けるべく前記放電周波数を制御する放電周波数制御手段を具備したことを特徴とする画像表示装置。
【請求項２】
前記地域に複数の公共放送周波数が存在する場合に、
前記放電周波数制御手段は、前記放電周波数およびその整数次高調波周波数が前記複数の公共放送周波数の周波数間隔の略中央に位置するように前記放電周波数を制御することを特徴とする請求項１に記載の画像表示装置。
【請求項３】
放電デバイスを放電させてそのエネルギーにより蛍光体を発光させて画像を表示する画像表示装置において、
前記放電デバイスの放電周波数を９ｎ＋１［ｋＨｚ］および９ｎ−１［ｋＨｚ］：（ｎは整数）のいずれかとする放電周波数制御手段を具備することを特徴とする画像表示装置。
【請求項４】
放電デバイスを放電させてそのエネルギーにより蛍光体を発光させて画像を表示する画像表示装置において、
前記放電デバイスの放電周波数を２２９［ｋＨｚ］〜２６５［ｋＨｚ］の範囲とする放電周波数制御手段を具備することを特徴とする画像表示装置。
【請求項５】
前記放電周波数制御手段は、前記放電周波数を２６１［ｋＨｚ］とすることを特徴とする請求項４に記載の画像表示装置。
【請求項６】
前記放電周波数は、予め固定的に設定された複数の周波数値を有し、
前記放電周波数制御手段は、設置される地域に応じて前記複数の周波数値のいずれかを選択することを特徴とする請求項３または４に記載の画像表示装置。
【請求項７】
さらに、前記地域における放送局から放送されるテレビ放送波を受信して前記画像表示装置に画像を表示するための画像信号を復調するチューナ手段と、
指定された地域コードに対応して前記チューナ手段における受信周波数を設定する周波数設定手段とを具備し、
前記放電周波数制御手段は、前記地域コードに連動して複数の周波数値のいずれかを選択することを特徴とする請求項６に記載の画像表示装置。
【発明の詳細な説明】
【０００１】
【発明の属する技術分野】
この発明は、例えばパネルディスプレイ装置などの、放電デバイスを利用して動画像、または静止画像、あるいは文字コードなど（以下、画像と総称する）を表示する画像表示装置に関する。
【０００２】
【従来の技術】
プラズマ表示装置などのパネルディスプレイ装置（以下ＰＤＰと略記する）は、画素ごとに形成される放電デバイスに２００Ｖ近い高電圧を与えて放電させ、このエネルギーにより生じる紫外線を蛍光体に照射することにより画素を発光させるようにしている。放電周波数は、ＰＤＰの駆動時においては一定であり、パネル性能、制御回路性能などから製造元の事情により決定される。
【０００３】
放電デバイスの放電時に、放電周波数と一致する周波数のノイズが発生することは良く知られている。また、一般にノイズはノイズ源周波数の高調波周波数にも発生するため、放電周波数およびその高調波周波数のノイズ周波数を持つノイズが発生することになる。
【０００４】
ところで、ＡＭラジオ放送周波数は、日本国内においては５３１〜１６０２［ｋＨｚ］までの範囲に９［ｋＨｚ］ごとに割り当てられている。このことを式に表すと、  ＡＭラジオ放送周波数＝５３１＋９×ｎ［ｋＨｚ］（ｎ：０，１，２，３，…，１１８，１１９）  となる。５３１は９の倍数であるので、結局、ＡＭラジオ放送周波数は９の倍数である。ちなみに日本に限らず、多くの国でこのような周波数割り当てが採用されている。
【０００５】
ＰＤＰの放電周波数が例えば９の倍数である２０７ｋＨｚである場合、ＡＭラジオ放送周波数帯域（５３１ｋＨｚ〜１０６２ｋＨｚ）に入る高調波は、６２１，８２８，１０３５，１２４２，１４４９ｋＨｚとなる。この周波数はすべてＡＭラジオ放送周波数と一致する。すなわちＰＤＰを駆動すると、この周波数にある放送が妨害を受けることになる。
【０００６】
現状では、ＰＤＰの画像表示面にＥＭＩ（電磁妨害）ガラスフィルタを設置するなどして放射ノイズを抑える対策が採られている。しかしながら放電電圧が２００Ｖ近くと非常に高いので、ノイズレベル自体が非常に高く、また画面サイズが大きい場合にはノイズ発生面積も大きくなる。これらのことから、シールド性能を強化するなどしても根本的な解決策が無いのが現状である。
【０００７】
既存のＰＤＰの放電周波数は、要求される性能（発光輝度、コントロール回路の制約など）から決められていた。このため、放電周波数が２０７ｋＨｚに設定された場合、その高調波周波数がすべてＡＭラジオ放送周波数と一致してしまう。このような状況では、少なくともＰＤＰが設置される部屋の中においては、ＡＭラジオ放送の視聴が不可能になることがある。また、ＡＭラジオ放送帯域がＥＭＩの法的規制に含まれていないことから、パネル製造元での対応も遅れがちとなっている。
【０００８】
なお、関連する技術が下記特許文献１および非特許文献１に開示される。特許文献１には、画像フレーム毎に表示クロックの周波数を変化させることにより、表示映像に混入する高周波妨害を軽減できるようにしたＰＤＰの駆動方法が開示される。非特許文献１には、ＰＤＰの動作に関する一般的内容が開示される。
【０００９】
【特許文献１】
特開平１０−１４９１３６号公報（段落番号［００１１］〜［００１３］、図１）
【００１０】
【非特許文献１】
Ｊａｐａｎ  Ｄｉｓｐｌａｙ  ‘９２  「Ｓ１６−２Ａ  Ｆｕｌｌ  Ｃｏｌｏｒ  ＡＣ  Ｐｌａｓｍａ  ｗｉｔｈ  ２５６  Ｇｒａｙ  Ｓｃａｌｅ」，  Ｐ６０５−Ｐ６０８
【００１１】
【発明が解決しようとする課題】
以上述べたように既存のＰＤＰには、ＡＭラジオ放送などの公共放送に対する妨害が大きいという不具合がある。
本発明は上記事情によりなされたもので、その目的は、ＡＭラジオ放送などの公共放送への妨害の低減を図った画像表示装置を提供することにある。
【００１２】
【課題を解決するための手段】
上記目的を達成するために本発明は、放電デバイスを放電させてそのエネルギーにより蛍光体を発光させて画像を表示する画像表示装置において、設置される地域における公共放送周波数に前記放電デバイスの放電周波数およびその整数次高調波周波数が一致することを避けるべく前記放電周波数を制御する放電周波数制御手段を具備することを特徴とする。
【００１３】
このような手段を講じることにより、放電デバイスの放電周波数が公共放送周波数に一致しないように制御される。従って公共放送の受信時にノイズが混入することを防止できる。
【００１４】
より具体的には、本発明は、前記放電周波数制御手段は、前記放電デバイスの放電周波数がキロヘルツ帯に属する場合に前記放電周波数を９ｎ＋１［ｋＨｚ］および９ｎ−１［ｋＨｚ］：（ｎは整数）のいずれかとすることを特徴とする。
【００１５】
このような手段を講じることにより、放電デバイスの放電周波数の高調波周波数がＡＭラジオ放送のチャネル周波数のほぼ中央に位置するようになる。従ってＡＭラジオ放送への受信妨害を低減することが可能となる。
【００１６】
【発明の実施の形態】
以下、図面を参照して本発明の実施の形態を詳細に説明する。
図１は、本発明に関わる画像表示装置の一実施の形態を示す機能ブロック図である。図１において、信号処理部１０から出力される映像信号はスケーラ２１を介して制御部２４に与えられる。信号処理部１０はＲＯＭ（Ｒｅａｄ  Ｏｎｌｙ  Ｍｅｍｏｒｙ）２３に記憶されるデータに基づくＴＶコントローラ２２の制御のもとで動作する。
【００１７】
制御部２４は、映像信号から種々のデータを取得してデータ処理部２８に与える。また映像信号はＹ−変換処理部２５およびＸ−変換処理部２７に与えられ、ディスプレイパネル２６の表示サイズに合うように適宜映像のサイズが圧縮および伸長される。データ処理部２８は、与えられたデータに基づいてディスプレイパネル２６を制御する。
【００１８】
ところで、ＲＯＭ２３は、所定の記憶領域にチャネル設定テーブル２３ａと放電周波数設定テーブル２３ｂとを記憶する。
図２は、チャネル設定テーブル２３ａの内容を示す概念図である。チャネル設定テーブル２３ａは、国内を複数に分けた地域ごとに指定される地域コードと、各地域チャネルにおけるテレビ放送の放送周波数を対応付けたテーブルである。画像表示装置のユーザがリモコン操作などにより地域コードを指定するとその旨が図１のＴＶコントローラ２２に認識され、チューナ１１の受信周波数がチャネル設定テーブル２３ａに基づいて自動的に設定される。この種の機能は、地域設定機能と称されることもある。
【００１９】
図３は、放電周波数設定テーブル２３ｂの内容を示す概念図である。放電周波数設定テーブル２３ｂは、地域コードごとに、ディスプレイパネル２６に設定すべき放電周波数を対応付けたテーブルである。地域コードが与えられることにより、その地域に応じた放電周波数の最適値が自動的に設定される。
【００２０】
図４は、ディスプレイパネル２６の構造を模式的に示す斜視断面図である。図４において、２枚のガラス基板１，２上にそれぞれ縦、横のマトリクス状にデータ電極３、表示電極４を形成する。データ電極３は、表示データを書き込む。表示電極４はいわゆる放電デバイスであり、発光のための放電を行う。表示電極４は２本を一組として形成される。データ電極３は、隣接する放電セル間の放電を隔離するため、ストライプ状の隔壁５により仕切られる。
【００２１】
赤（Ｒ）、緑（Ｇ）、青（Ｂ）の蛍光体がデータ電極上と隔壁面を覆うように塗布され、Ｒ，Ｇ，Ｂの３つのセルにより１画素が形成される。そして、ガラス基板１，２が誘電体層７および保護膜８を挿んで張りあわせられ、Ｎｅ，Ｘｅの混合ガスが封入される。データ電極３と表示電極４との交点が１セルとなる。
【００２２】
表示電極４には２００Ｖ程度の高電圧が印加され、放電が生じる。その際にノイズが生じるが、表示電極４の放電周波数を制御することによりノイズ周波数を変化させることができる。放電周波数は、図４の蛍光体６の材料特性やサブフィールドにおけるアドレス期間の長さなどに応じて決まるもので、本実施形態においては制御部２４がその値を可変する。
【００２３】
図５は、表示電極４の放電周波数の高調波周波数とＡＭラジオ放送周波数帯との関係を示す図である。図５において、ＡＭラジオ放送周波数帯域に入る高調波周波数は白抜きで示されている。図５には、放電周波数とその９次高調波周波数までが示されている。
【００２４】
図５に示されるように、放電周波数が２２９〜２６５ｋＨｚの範囲において、ＡＭラジオ放送周波数帯域に入る高調波周波数の数（ここでは４つ）が最小となることがわかる。またこの範囲において、放電周波数の３次から６次の高調波周波数がＡＭラジオ放送周波数帯域に入っていることもわかる。
【００２５】
図５において、放電周波数２２９ｋＨｚの７次高調波１６０３ｋＨｚは、ＡＭラジオ放送周波数１６０２ｋＨｚと１ｋＨｚしか離れていない。同様に、放電周波数２６５ｋＨｚの２次高調波５３０ｋＨｚもＡＭラジオ放送周波数５３１ｋＨｚから１ｋＨｚしか離れていない。このような１ｋＨｚの差ではノイズの影響を受けやすい。
【００２６】
そこで、放電周波数の高調波とＡＭラジオ放送周波数帯域との周波数間隔を例えば５ｋＨｚ以上にするという条件を課すとする。そうすると、この条件を満たしたうえで高調波周波数が４つになる放電周波数は、２３０〜２６３［ｋＨｚ］になる。
【００２７】
例えば放電周波数を、放電周波数＝９×ｍ＋１［ｋＨｚ］（ｍは整数）とすると、この放電周波数の３次から６次の高調波周波数は、
３次：３×（９×ｍ＋１）＝９×（３×ｍ）＋３［ｋＨｚ］
４次：４×（９×ｍ＋１）＝９×（４×ｍ）＋４［ｋＨｚ］
５次：５×（９×ｍ＋１）＝９×（５×ｍ）＋５［ｋＨｚ］
６次：６×（９×ｍ＋１）＝９×（６×ｍ）＋６［ｋＨｚ］
となり、すべて９の倍数と余りで表される。
【００２８】
ＡＭラジオ放送周波数は９の倍数であるので、上記の３次から６次の高調波周波数はＡＭラジオ放送周波数から余り分の周波数だけ離れていることになる。つまり３次から６次の高調波周波数はＡＭラジオ放送周波数と一致せず、かつ９ｋＨｚごとのＡＭラジオ放送周波数間のほぼ中間の周波数となっている。この３次から６次の高調波周波数が、ＡＭラジオ放送周波数と離れているほど、受信妨害を少なくすることができる。
【００２９】
放電周波数が、９×ｍ−１［ｋＨｚ］（ｍは整数）の場合も、同様である。放電周波数が２２９〜２６５ｋＨｚの範囲で、９×ｍ＋１または９×ｍ−１［ｋＨｚ］（ｍは整数）を満たす放電周波数は、２３３，２３５，２４２，２４４，２５２，２５３，２６０，２６２［ｋＨｚ］の８周波数である。
【００３０】
そこで本実施形態では、このいずれかの周波数に、表示電極４の放電周波数を合わせ込むようにする。このようにすることで、放電周波数それ自体を、またはその整数次高調波周波数をＡＭラジオ放送周波数に対して充分に離間させることが可能となる。従ってＡＭラジオ放送に受信妨害が生じる虞を無くすることが可能になる。
【００３１】
（第２の実施形態）
次に、本発明の第２の実施形態につき説明する。
例えば放電周波数が２６１［ｋＨｚ］である場合を考える。その高調波でＡＭラジオ放送周波数帯域に入る周波数は、７８３，１０４４，１３０５，１５６６［ｋＨｚ］の４つの周波数である。これら周波数のは、すべて９の倍数であり、ＡＭラジオ放送周波数と一致する。しかしながら、現在日本国内でこの４つの周波数を使用しているＡＭ放送局はない。つまり放電周波数を２６１［ｋＨｚ］にすることにより、現在放送を行っているＡＭラジオ放送への妨害を最小にすることができる。
【００３２】
（第３の実施形態）
次に、本発明の第２の実施形態につき説明する。
本実施形態では、ユーザの入力操作に基づく制御部２４の制御により、表示電極４の放電周波数を固定的な２つの切り替え値のいずれかに、選択的に切り替え設定できるようにする。ここでは、切り替え値として２３０ｋＨｚ、および２６０ｋＨｚの２つの放電周波数を考える。
【００３３】
一般に、任意の地域で受信可能なＡＭ放送局数は限られている。放電周波数が２３０ｋＨｚである場合、その高調波でＡＭラジオ放送周波数帯域に入るのは６９０，９２０，１１５０，１３８０［ｋＨｚ］で、２６０ｋＨｚの場合は７８０，１０４０，１３００，１５６０［ｋＨｚ］となる。
【００３４】
例えば放電周波数が２３０ｋＨｚのである場合にＡＭラジオ受信妨害が発生したとする。この場合、放電周波数を２６０ｋＨｚに切り替えることにより高調波周波数は数１０ｋＨｚ移動する。従って、ＡＭラジオ受信妨害を大幅を減少させることができる。なお選択可能な放電周波数は２つに限らず、３つや４つなどそれ以上の数でも良い。
【００３５】
（第４の実施形態）
既存のチューナを備えるテレビ受像機は、設置される地域を設定することで自動的に受信可能テレビ放送局をチャンネルに割り当てる機能、すなわち地域設定機能を有するものが多い。この種の機能を持つ表示装置においては、初めて使用するときなどに、ユーザのリモコン操作によってメニューから地域を選択したり、郵便番号を入力したりすることにより、テレビ受像機が設置される地域に対応する地域コードを入力する。
【００３６】
ところで、地域コードはその地域におけるＡＭ公共放送の周波数帯域と対応付けることができる。さらに、この周波数帯域が判れば、妨害を最小限にできる放電周波数を予め知ることができる。これにより図３の放電周波数設定テーブル２３ｂを用意することができる。
【００３７】
本実施形態では、入力された地域コードに連動させて表示電極４の放電周波数を設定するようにする。これにより放電周波数が自動的に設定されるので、ユーザの手間を省略することが可能となる。
【００３８】
なお、本発明は上記実施の形態に限定されるものではない。例えば上記各実施形態ではＰＤＰを例として説明したが、これに代えて、本発明は放電デバイスを用いて画像を表示する表示装置の全てに応用することが可能である。
【００３９】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４０】
【発明の効果】
以上詳しく述べたように本発明によれば、ＡＭラジオ放送などの公共放送への妨害の低減を図った画像表示装置を提供することができる。
【図面の簡単な説明】
【図１】本発明に関わる画像表示装置の一実施の形態を示す機能ブロック図。
【図２】チャネル設定テーブル２３ａの内容を示す概念図。
【図３】放電周波数設定テーブル２３ｂの内容を示す概念図。
【図４】ディスプレイパネル２６の構造を模式的に示す斜視断面図。
【図５】表示電極４の放電周波数の高調波周波数とＡＭラジオ放送周波数帯との関係を示す図。
【符号の説明】
１，２…ガラス基板、３…データ電極、４…表示電極、５…隔壁、６…蛍光体、７…誘電体層、８…保護膜、１０…信号処理部、１１…チューナ、２１…スケーラ、２２…ＴＶコントローラ、２３…ＲＯＭ、２３ａ…チャネル設定テーブル、２３ｂ…放電周波数設定テーブル、２４…制御部、２５…変換処理部、２６…ディスプレイパネル、２７…変換処理部、２８…データ処理部
【図１】
2005031368.tif 000003
【図２】
2005031368.tif 000004
【図３】
2005031368.tif 000005
【図４】
2005031368.tif 000006
【図５】
2005031368.tif 000007